(57)【特許請求の範囲】
【請求項１】
ロールペーパーの軸心を横にした状態で載置する載置部を備え、前記載置部上で前記ロールペーパーを転動させてペーパーを繰り出し可能としたロールペーパーホルダーであって、
前記載置部は、壁面に沿って固定される固定部から前方に下り傾斜となる下降部と、前記下降部の前方から昇り傾斜となる上昇部と、を備え、
前記下降部の水平面に対して傾斜する角度は、前記上昇部の水平面に対して傾斜する角度よりも大きく、前記下降部と前記上昇部の変曲位置からみた前記下降部の上端までの長さは、前記上昇部の上端までの長さよりも短く、
前記上昇部を形成する前記ペーパーと対向する面の上端から突出する摩擦抵抗の少ない金属の返し部材と、該返し部材の前方に該返し部材とは別体でペーパーカット時に滑り止めの役割を果たす軟質材料のペーパー切断歯とを有し、
前記ペーパー切断歯が前記返し部材の突出方向における頂部と連続していることを特徴とするロールペーパーホルダー。
【請求項２】
前記載置部の下部は、前記載置部の上部に比べて前記ロールペーパーとの摺動抵抗が大きくなるように構成されることを特徴とする請求項１記載のロールペーパーホルダー。
【発明の詳細な説明】
【技術分野】
【０００１】
本発明は、ロール状に巻回されたロールペーパーを載置し、そこから任意の量だけ引出されたペーパーを切断するためのロールペーパーホルダーに関するものであり、例えば、トイレ空間の壁面に取り付けてロールペーパーを保持・切断するのに利用可能なロールペーパーホルダーに関する発明である。
【背景技術】
【０００２】
例えば、ロールペーパーとしてトイレで利用されているロールペーパーを保持・切断するのに現在最も汎用されているものは、ロール芯を回転可能に支持しておき、そのロールペーパーの上面に揺動可能に当接している紙切板の先端に設けられた切断歯によってペーパーを切断するタイプのものである。このロール芯を回転可能に支持するタイプにおいては、紙切板の自重を増やしたりバネによって紙切板をロールペーパー上に押付けることによってロールペーパーとの当接力を増してペーパー端部の切断性を向上させるための工夫がされているが、紙切板は、ロールペーパーに対して押さえつけられる構造であるため、切断時のみならず引出時にもロールペーパーに当接するものであり、切断時の押付け力を増そうとれば引出時の抵抗が大きくなって、ペーパーが千切れてしまい、引出性が悪くなるものであり、 切断性能と引出性能の両立が難しかった。
【０００３】
そこで、ロールペーパーを載置する構成として、引出時にロールペーパーが接触する載置部と、切断時に接触する切断部と、を分離させたロールペーパーホルダーが提案されている。特許文献１に記載されているロールペーパーホルダーは、ロールを載置する載置部の前方からペーパーを引出し、載置部の前方に設けられた切断歯によってペーパーを切断する構成であり、切断性能と引出性能の両立が図りやすく、しかも、載置部の前方に残ったペーパーが次回引出時の摘み代となるため使い勝手の良いものである。
【先行技術文献】
【特許文献】
【０００４】
【特許文献１】特開平９−２８６１５号公報（１図、２図参照）
【発明の概要】
【発明が解決しようとする課題】
【０００５】
しかしながら、この特許文献１に記載された載置式のロールペーパーホルダーにおいては、載置部の前方からペーパーを引出す際に、ペーパーロールが載置部のＶ字状の谷部に挟まってしまい、ロールペーパーの転動に対して大きな抵抗が発生してしまい、ペーパーを滑らかに引出すことができないことがあった。また、載置部の前方からペーパーを引出す際に、ペーパーの摘み代を載置部の前方に向かって強く引っ張ってしまうと、ロールペーパーが載置部の後方に向かって勢いよく転動してしまい、載置部上のロールペーパーが不安定な状態となり、ペーパーを滑らかに引出すことができないことがあった。
【０００６】
本発明が解決しようとする課題は、ペーパー引出しの際にロールペーパーが前方に飛び出すことを防止しつつ、ペーパーを滑らかに引出すことが可能となり、さらに、片手で簡単にロールペーパーをカットでき、次の使用時の摘み代も得られて使用性の良いロールペーパーホルダーを提供することを目的とする。
【課題を解決するための手段】
【０００７】
本発明のロールペーパーホルダーは、上記問題を解決するためになされたもので、ロールペーパーの軸心を横にした状態で載置する載置部を備え、前記載置部上で前記ロールペーパーを転動させてペーパーを繰り出し可能としたロールペーパーホルダーであって、前記載置部は、壁面に沿って固定される固定部から前方に下り傾斜となる下降部と、前記下降部の前方から昇り傾斜となる上昇部と、を備え、前記下降部の水平面に対して傾斜する角度は、前記上昇部の水平面に対して傾斜する角度よりも大きく、前記下降部と前記上昇部の変曲位置からみた前記下降部の上端までの長さは、前記上昇部の上端までの長さよりも短く、前記上昇部を形成する前記ペーパーと対向する面の上端から突出する摩擦抵抗の少ない金属の返し部材と、該返し部材の前方に該返し部材とは別体でペーパーカット時に滑り止めの役割を果たす軟質材料のペーパー切断歯とを有し、前記ペーパー切断歯が前記返し部材の突出方向における頂部と連続していることを特徴とする。
【０００８】
このような構成とすれば、ペーパー引出しの際に滑らかに引出すことが可能となり、さらに、片手で簡単にロールペーパーをカットでき、次の使用時の摘み代も得られて使用性を良くすることができる。特に、ロールペーパーが載置部を転動するときに、下降部の傾斜角度を上昇部の傾斜角度よりも大きくすることによってロールペーパーが後方への動き過ぎるのを防止し、ペーパーを滑らかに引出すことが可能となる。なお、上昇部と下降部との傾斜角度の関係は、上昇部と下降部の全体において上昇部の方が小さいものに限らず、一部においてそうであってであっても構わない。
さらに、ロールペーパーのペーパーが少なくなった場合であっても、載置部の前方からペーパーを引出す際に、載置部の前方に向かってロールペーパーが転動しても、返し部材にロールペーパーが当たり元の位置に戻るように力が働き、載置部の前方にロールペーパーが飛び出すことを防止できる。
【００１１】
また、本発明のロールペーパーホルダーは、前記載置部の下部は、前記載置部の上部に比べて前記ロールペーパーとの摺動抵抗が大きくなるように構成されることを特徴とする。
【００１２】
このような構成とすれば、ロールペーパーのペーパーが少なくなった場合であっても、載置部の前方からペーパーを引出す際に、ロールペーパーが載置部を転動しても、載置部の下部の摺動抵抗が大きいのでロールペーパーが前方への動き過ぎるのを防止し、載置部の前方にロールペーパーが飛び出すことを防止できる。
【発明の効果】
【００１３】
本発明により、ペーパー引出しの際に滑らかに引出すことが可能となり、さらに、片手で簡単にロールペーパーをカットでき、次の使用時の摘み代も得られて使用性を良くすることができる。特に、ロールペーパーが載置部を転動するときに、下降部の傾斜角度を上昇部の傾斜角度よりも大きくすることによってロールペーパーが後方への動き過ぎるのを防止し、ペーパーを滑らかに引出すことが可能となる。
【図面の簡単な説明】
【００１４】
【図１】本発明のロールペーパーホルダーの斜視図である。
【図２】図１の分解斜視図である。
【図３】図２の戴置部Ａ−Ａ断面図である。
【図４】図３においてロールペーパーが減少した場合の要部断面図である。
【図５】図３の戴置部斜視図である。
【図６】図４の戴置部斜視図である。
【図７】戴置部壁側からの一部切欠斜視図である。
【図８】本発明のロールペーパーホルダーをトイレ空間に設置した状態を示す図である。
【発明を実施するための形態】
【００１５】
以下、本発明におけるロールペーパーホルダー１の第１の実施形態について図を用いて説明する。図１は、本発明の実施形態のロールペーパーホルダー１の斜視図である。本発明のロールペーパーホルダー１は、ロールペーパー２の軸心を横にした状態で載置している。ロールペーパーホルダー１の右端に使用されるロールペーパー２が配置され、ペーパー取り出し口１１からペーパーが取り出し可能となっている。また、その使用されるロールペーパー２の左側にはスペアのロールペーパー２が複数個収納可能となっている。
【００１６】
図１に示すように、カバー３の正面ペーパー取り出し口１１の開口高さは、ロールペーパー２の空芯（３８Φ）が飛び出さない高さ（３５ｍｍ程度）とし、側壁部１５の一部を切欠いた側面開口部１２の開口高さは、ロールペーパー２の空芯が取り出せる高さかつ、盗難する意味の薄いなるべく小径に近い（５０ｍｍ程度）とする。側面開口部１２は、新品の糊付けされたロールペーパー２の端部をはがす際に、ロールペーパー２を回転させて端部を探すために指でつかむためのものでもあり、５０ｍｍ程度が適切と考えられる。
【００１７】
さらに、正面に設けたスライド用開口部１３は、スペアのロールペーパー２を指でスライド移動させるためのものであるが、ロールペーパー２の紙端部が内部に入り込んだ状態でも、図８に示すように便座１４に座った状態から内部の状態を確認しやすくするためにペーパー取り出し口１１上部まで開口され、確認用の窓を兼ねることを特徴としている。
【００１８】
図２は、図１の分解斜視図である。ロールペーパーホルダー１の構成は、ロールペーパーホルダー１のカバー３とロールペーパー２を戴置するための戴置部４、ロールペーパー２の横ズレを防止するストッパー５、紙切歯（ペーパー切断歯）６、返し部材７を備えている。ストッパー５は、ロールペーパー２が横方向おいて所定の位置からずれないように位置決めの機能を有しており、ロールペーパー２が載置部４を転動する際に摺動抵抗が大きくならないＰＰ（ポリプロピレン）等で形成されることが好ましい。
【００１９】
図３は、図１におけるカバー３を除く載置部Ａ−Ａ断面図である。図５は、図３に対応する載置部斜視図である。図３のように、本発明のロールペーパーホルダー１は、載置部４は、トイレ壁面Ｗに沿って固定される固定部８から前方に下り傾斜となる下降部９と、下降部９の前方から昇り傾斜となり、前方に紙切歯（ペーパー切断歯）６が設けられる上昇部１０と、下降部９と上昇部１０との側方に形成された側壁部１５から構成される。さらに、本発明のロールペーパーホルダー１は、下降部９の水平面に対して傾斜する角度αは、上昇部１０の水平面に対して傾斜する角度βよりも大きく、下降部９と上昇部１０の変曲位置からみた下降部９の上端までの長さは、上昇部１０の上端までの長さよりも短い構成される。なお、図面においてロールペーパー２に付記した矢印は、ペーパー端部を引き出す方向を示すものである。
【００２０】
図４は、図３においてロールペーパー２が減少した場合の要部断面図である。図６は、図４に対応する載置部斜視図である。図４のように、下降部９の水平面に対する傾斜する角度αは４５度程度が好ましく、上昇部１０の水平面に対する傾斜する角度βは２０度程度より大きい角度に構成することで、ロールペーパー２の径が小さく軽くなった状態で壁側に転動した際、ロールペーパー２が下降部９を駆け上がる力を抑制し、安定した回転を得る効果もある。
【００２１】
従って、ペーパー引出しの際に滑らかに引出すことが可能となり、さらに、片手で簡単にロールペーパー２をカットでき、次の使用時の摘み代も得られて使用性を良くすることができる。特に、ロールペーパー２が載置部４を転動するときに、下降部９の傾斜角度を上昇部１０の傾斜角度よりも大きくすることによってロールペーパー２が後方への動き過ぎるのを防止し、ペーパーを滑らかに引出すことが可能となる。
【００２２】
図４のようなロールペーパー２の径が小さく軽くなった状態では、場合によってはロールペーパー２がそのまま上昇部１０を駆け上がり、飛び出すおそれがあるため、図７に示すような上昇部１０を形成する面から突出して形成された返し部材７を備える。返し部材７は、ロールペーパー２引出し時に上部が常に干渉するため、摩擦抵抗の少ない金属等の表面を有する。また、返し部材７の前方にはペーパーカット時に滑り止めの役割を果たすストッパー部を兼ねた軟質材料の紙切歯６が設けられる。返し部材７がない場合であっても、紙切歯６も上昇部１０を形成する面から突出して形成されているので、返し部材７と同様の機能を有している。
【００２３】
載置部４の下部は、載置部４の上部に比べてロールペーパー２との摺動抵抗が大きくなるように構成されることが好ましい。具体的には、上昇部１０には、ロールペーパー２の転動方向に沿うように、上昇部１０の上端から下端まで凸状部としてのリブが複数形成されている。また、下降部９においても、ロールペーパー２の転動方向に沿うように、下降部９の上端から下端まで凸状部としてのリブが複数形成されている。下降部９側のリブの幅は、上端側よりも下端側の方が幅広となっている。同様に、上昇部１０側のリブの幅も、上端側よりも下端側の方が幅広となっている。そして、下降部９側のリブは、上昇部１０側のリブと同じか、それよりも幅広に形成されている。
【００２４】
従って、ロールペーパー２のペーパーが少なくなった場合であっても、載置部４の前方
からペーパーを引出す際に、載置部４の前方に向かってロールペーパー２が転動しても、
返し部材７にロールペーパー２が当たり元の位置に戻るように力が働き、載置部４の前方
にロールペーパー２が飛び出すことを防止できる。また、載置部４の下部は、載置部４の
上部に比べてロールペーパー２との摺動抵抗が大きくなるように構成されていれば、ロー
ルペーパー２のペーパーが少なくなった場合であっても、載置部４の前方からペーパーを
引出す際に、ロールペーパー２が載置部４を転動しても、上昇部１０と下降部９の変曲位
置近傍の摺動抵抗が大きいのでロールペーパー２が前方への動き過ぎるのを防止し、載置
部４の前方にロールペーパー２が飛び出すことを防止できるようになる。
【００２５】
なお、載置部４の上方は、カバー３や蓋部材を有さない開放された空間であっても良い。そうすれば、ロールペーパー２を載置部４にセットする際に、カバー３を外したり蓋部材を開閉する必要がなく、片手で簡単にセットすることができるようになる。
【００２６】
以上、本発明について実施形態を通して説明してきたが、本発明は、ロールペーパーホルダー１の右端に使用されるロールペーパー２が配置され、ペーパー取り出し口１１からペーパーが取り出し可能となっているものに限定されるものではなく、本発明の技術思想から逸脱しない範囲で適宜設計変更をしてもよい。また、本発明は、その使用されるロールペーパー２の左側にはスペアのロールペーパー２が複数個収納可能となっているものに限定されるものではなく、使用されるロールペーパー２のみ収納可能となっているものでもよく、本発明の技術思想から逸脱しない範囲で適宜設計変更をしてもよい。
【符号の説明】
【００２７】
１…ロールペーパーホルダー  
２…ロールペーパー
３…カバー
４…戴置部
５…ストッパー
６…紙切歯
７…返し部材
８…固定部
９…下降部
１０…上昇部
１１…ペーパー取り出し口
１２…側面開口部
１３…スライド用開口部
１４…便座
１５…側壁部
Ｗ…トイレ壁面
【図１】
0005843211.tif 000002
【図２】
0005843211.tif 000003
【図３】
0005843211.tif 000004
【図５】
0005843211.tif 000005
【図６】
0005843211.tif 000006
【図７】
0005843211.tif 000007
【図８】
0005843211.tif 000008
【図４】
0005843211.tif 000009